【手続補正書】
【提出日】平成29年4月27日(2017.4.27)
【手続補正１】
【補正対象書類名】特許請求の範囲
【補正対象項目名】全文
【補正方法】変更
【補正の内容】
【特許請求の範囲】
【請求項１】
操作端末であって、
情報蓄積装置から、該情報蓄積装置の有する１以上の格納領域の情報を取得する取得手段と、
取得された前記１以上の格納領域の情報に基づいて、１以上の格納領域を表示する表示手段と、
前記表示手段に表示された前記１以上の格納領域のうち一の格納領域の選択を受け付ける受付手段と、
選択を受け付けた前記一の格納領域に電子データを入力させる電子機器を、該電子機器から取得した情報に基づいて特定する特定手段と、
特定された前記電子機器に電子データの入力を実行させる第１の要求を、前記情報蓄積装置に送信する第１の送信手段と、
を有する操作端末。
【請求項２】
請求項１に記載の操作端末であって、
前記取得手段は、選択を受け付けた前記一の格納領域に格納される電子データの情報を前記情報蓄積装置から取得する、
前記表示手段は、取得した前記電子データの情報に基づいて、前記一の格納領域に格納される電子データを表示する、
前記受付手段は、表示された前記電子データのうち一の電子データの選択を受け付ける
前記特定手段は、選択を受付けた前記一の電子データを出力させる他の電子機器を、前記他の電子機器から取得した情報に基づいて特定する、
前記取得手段は、前記一の電子データを前記情報蓄積装置から取得する、
前記第１の送信手段は、特定された前記他の電子機器に対して、取得した前記一の電子データの出力を実行させる第２の要求を、前記他の電子機器に送信する、
ことを特徴とする操作端末。
【請求項３】
請求項１に記載の操作端末であって、
前記取得手段は、選択を受け付けた前記一の格納領域に格納される電子データの情報を前記情報蓄積装置から取得する、
前記表示手段は、取得した前記電子データの情報に基づいて、前記一の格納領域に格納される電子データを表示する、
前記受付手段は、表示された前記電子データのうち一の電子データの選択を受け付ける
前記特定手段は、選択を受付けた前記一の電子データを出力させる他の電子機器を、前記他の電子機器から取得した情報に基づいて特定する、
前記取得手段は、前記一の電子データを前記情報蓄積装置から取得する、
前記第１の送信手段は、取得した前記他の電子機器を特定するための情報と、前記一の電子データの出力を実行させる第２の要求とを、前記情報蓄積装置に対して送信する、
ことを特徴とする操作端末。
【請求項４】
請求項１乃至請求項３のいずれか一項に記載の操作端末であって、
前記第１の要求を前記情報蓄積装置に送信した後、前記電子機器から送信された電子データを受信する受信手段を有し、
前記第１の送信手段は、受信した電子データを前記情報蓄積装置に送信することで前記一の格納領域に格納する
ことを特徴とする操作端末。
【請求項５】
請求項１乃至請求項４のいずれか一項に記載の操作端末であって、
前記電子機器と通信することで、前記電子機器を特定するための情報を取得することを特徴とする操作端末。
【請求項６】
請求項１乃至請求項５のいずれか一項に記載の操作端末であって、
更にカメラを有し、
前記カメラで撮影した画像に含まれる二次元コードに含まれる前記電子機器を特定するための情報を取得することを特徴とする操作端末。
【請求項７】
操作端末に、
情報蓄積装置から、該情報蓄積装置の有する１以上の格納領域の情報を取得するステップ、
取得された前記１以上の格納領域の情報に基づいて、１以上の格納領域を表示するステップ、
表示された前記１以上の格納領域のうち一の格納領域の選択を受け付けるステップ、
選択を受け付けた前記一の格納領域に電子データを入力させる電子機器を、該電子機器から取得した情報に基づいて特定するステップ、
特定された前記電子機器に電子データの入力を実行させる第１の要求を、前記情報蓄積装置に送信するステップ、
を実行させるためのプログラムを記憶したコンピュータ読み取り可能な記憶媒体。
【請求項８】
請求項７に記載の記憶媒体であって、
前記操作端末に、更に、
選択を受け付けた前記一の格納領域に格納される電子データの情報を前記情報蓄積装置から取得するステップ、
取得した前記電子データの情報に基づいて、前記一の格納領域に格納される電子データを表示するステップ、
表示された前記電子データのうち一の電子データの選択を受け付けるステップ、
選択を受付けた前記一の電子データを出力させる他の電子機器を、前記他の電子機器から取得した情報に基づいて特定するステップ、
前記一の電子データを前記情報蓄積装置から取得するステップ、
特定された前記他の電子機器に対して、取得した前記一の電子データの出力を実行させる第２の要求を、前記他の電子機器に送信するステップ、
を実行させるためのプログラムを記憶したコンピュータ読み取り可能な記憶媒体。
【請求項９】
請求項７に記載の記憶媒体であって、
前記操作端末に、更に、
選択を受け付けた前記一の格納領域に格納される電子データの情報を前記情報蓄積装置から取得するステップ、
取得した前記電子データの情報に基づいて、前記一の格納領域に格納される電子データを表示するステップ、
表示された前記電子データのうち一の電子データの選択を受け付けるステップ、
選択を受付けた前記一の電子データを出力させる他の電子機器を、前記他の電子機器から取得した情報に基づいて特定するステップ、
前記一の電子データを前記情報蓄積装置から取得するステップ、
取得した前記他の電子機器を特定するための情報と、前記一の電子データの出力を実行させる第２の要求とを、前記情報蓄積装置に対して送信するステップ、
を実行させるためのプログラムを記憶したコンピュータ読み取り可能な記憶媒体。
【請求項１０】
請求項７乃至請求項９のいずれか一項に記載の記憶媒体であって、
前記操作端末に、更に、
前記第１の要求を前記情報蓄積装置に送信した後、前記電子機器から送信された電子データを受信するステップ、
受信した電子データを前記情報蓄積装置に送信することで前記一の格納領域に格納するステップ、
を実行させるためのプログラムを記憶したコンピュータ読み取り可能な記憶媒体。
【請求項１１】
請求項７乃至請求項１０のいずれか一項に記載の記憶媒体であって、
前記操作端末に、更に、
前記電子機器と通信することで、前記電子機器を特定するための情報を取得するステップ
を実行させるためのプログラムを記憶したコンピュータ読み取り可能な記憶媒体。
【請求項１２】
請求項７乃至請求項１１のいずれか一項に記載の記憶媒体であって、
前記操作端末に、更に、
前記操作端末の有するカメラで撮影した画像に含まれる二次元コードに含まれる前記電子機器を特定するための情報を取得するステップ
を実行させるためのプログラムを記憶したコンピュータ読み取り可能な記憶媒体。
【請求項１３】
操作端末で実行される方法あって、
情報蓄積装置から、該情報蓄積装置の有する１以上の格納領域の情報を取得するステップと、
取得された前記１以上の格納領域の情報に基づいて、１以上の格納領域を表示するステップと、
表示された前記１以上の格納領域のうち一の格納領域の選択を受け付けるステップと、
選択を受け付けた前記一の格納領域に電子データを入力させる電子機器を、該電子機器から取得した情報に基づいて特定するステップと、
特定された前記電子機器に電子データの入力を実行させる第１の要求を、前記情報蓄積装置に送信するステップと、
を実行する方法。
【請求項１４】
請求項１３に記載の方法であって、更に、
選択を受け付けた前記一の格納領域に格納される電子データの情報を前記情報蓄積装置から取得するステップと、
取得した前記電子データの情報に基づいて、前記一の格納領域に格納される電子データを表示するステップと、
表示された前記電子データのうち一の電子データの選択を受け付けるステップと、
選択を受付けた前記一の電子データを出力させる他の電子機器を、前記他の電子機器から取得した情報に基づいて特定するステップと、
前記一の電子データを前記情報蓄積装置から取得するステップと、
特定された前記他の電子機器に対して、取得した前記一の電子データの出力を実行させる第２の要求を、前記他の電子機器に送信するステップと、
を実行する方法。
【請求項１５】
請求項１３に記載の方法であって、更に、
選択を受け付けた前記一の格納領域に格納される電子データの情報を前記情報蓄積装置から取得するステップと、
取得した前記電子データの情報に基づいて、前記一の格納領域に格納される電子データを表示するステップと、
表示された前記電子データのうち一の電子データの選択を受け付けるステップと、
選択を受付けた前記一の電子データを出力させる他の電子機器を、前記他の電子機器から取得した情報に基づいて特定するステップと、
前記一の電子データを前記情報蓄積装置から取得するステップと、
取得した前記他の電子機器を特定するための情報と、前記一の電子データの出力を実行させる第２の要求とを、前記情報蓄積装置に対して送信するステップと、
を実行する方法。
【請求項１６】
請求項１３乃至請求項１５のいずれか一項に記載の方法であって、更に、
前記第１の要求を前記情報蓄積装置に送信した後、前記電子機器から送信された電子データを受信するステップと、
受信した電子データを前記情報蓄積装置に送信することで前記一の格納領域に格納するステップと、
を実行する方法。
【請求項１７】
請求項１３乃至請求項１６のいずれか一項に記載の方法であって、更に、
前記電子機器と通信することで、前記電子機器を特定するための情報を取得するステップ
を実行する方法。
【請求項１８】
請求項１３乃至請求項１７のいずれか一項に記載の方法であって、更に、
前記操作端末の有するカメラで撮影した画像に含まれる二次元コードに含まれる前記電子機器を特定するための情報を取得するステップ
を実行する方法。
【手続補正２】
【補正対象書類名】明細書
【補正対象項目名】発明の名称
【補正方法】変更
【補正の内容】
【発明の名称】操作端末、記憶媒体及び方法
【手続補正３】
【補正対象書類名】明細書
【補正対象項目名】０００１
【補正方法】変更
【補正の内容】
【０００１】
本発明は、操作端末、記憶媒体及び方法に関する。
【手続補正４】
【補正対象書類名】明細書
【補正対象項目名】０００５
【補正方法】変更
【補正の内容】
【０００５】
本発明の一実施形態は、上記の点に鑑みなされたもので、連携してサービスを提供することができる操作端末、記憶媒体及び方法を提供することを目的とする。
【手続補正５】
【補正対象書類名】明細書
【補正対象項目名】０００６
【補正方法】変更
【補正の内容】
【０００６】
上記目的を達成するため、本願請求項１は、操作端末であって、情報蓄積装置から、該情報蓄積装置の有する１以上の格納領域の情報を取得する取得手段と、取得された前記１以上の格納領域の情報に基づいて、１以上の格納領域を表示する表示手段と、前記表示手段に表示された前記１以上の格納領域のうち一の格納領域の選択を受け付ける受付手段と、選択を受け付けた前記一の格納領域に電子データを入力させる電子機器を、該電子機器から取得した情報に基づいて特定する特定手段と、特定された前記電子機器に電子データの入力を実行させる第１の要求を、前記情報蓄積装置に送信する第１の送信手段と、を有することを特徴とする。
【手続補正６】
【補正対象書類名】明細書
【補正対象項目名】０００７
【補正方法】変更
【補正の内容】
【０００７】
本発明の一実施形態によれば、連携してサービスを提供することができる操作端末、記憶媒体及び方法を提供可能である。